(57)【要約】      （修正有）【課題】構成面から比較的簡単に構成され、費用効果が高いがそれにもかかわらず機能的に信頼性があるコンタクト及びバスバーアセンブリの提供。【解決手段】配列方向に整列される電子機器のハウジング１０１〜１０４上にバスシステムを形成し、各々に電子機器のアセンブリ、特に１以上の回路基板１２１〜１２４等が挿入されるコンタクト及びバスバーアセンブリであって、夫々が各回路基板に接触する第１の接続接触部と、ソケット接触部として形成される第２の端子接触部を有する複数のバスプラグと、各々が少なくとも１つの柔軟な可撓性部分を有し、又は連続して柔軟な撓み可能に構成された１以上の電力レールストリップを備える。或いはコンタクト及びバスバーアセンブリはソケット接触部が配列方向に延びる電力レールストリップに対して平行だけではなく、むしろ斜めに挿入可能であるように構成されて、電力レールストリップはソケット接触部に接触され得る。【選択図】図２
2019145502.tif 000002
【特許請求の範囲】
【請求項１】
配列方向(Ｘ)に整列される電子機器のハウジング(１０１、…)上にバスシステムを形成し、各々に電子機器のアセンブリ、特に１以上の回路基板(１２１、…)等が挿入されるコンタクト及びバスバーアセンブリであって、
a. 夫々が特に各回路基板(１２１、１２２…)に接触する１以上の第１の接続接触部(Ｋ１)と、１以上のソケット接触部(７)として形成される１以上の第２の端子接触部(Ｋ２、Ｋ”)を有する複数のバスプラグ(２)と、
b. 各々が少なくとも１つの柔軟な可撓性部分(３０a、３１b)を有し、又は連続して柔軟な撓み可能に構成された１以上の電力レールストリップ(３０、３１)を備える、コンタクト及びバスバーアセンブリ。
【請求項２】
配列方向(Ｘ)に整列される電子機器のハウジング(１０１、…)上にバスシステムを形成し、各々に電子機器のアセンブリ、特に１以上の回路基板(１２１、…)等が挿入されるコンタクト及びバスバーアセンブリであって、
a. 夫々が特に各回路基板(１２１、１２２…)に接触する１以上の第１の接続接触部(Ｋ１)と、１以上のソケット接触部(７)として形成される１以上の第２の端子接触部(Ｋ２、Ｋ”)を有する複数のバスプラグ(２)と、
b.１以上の電力レールストリップ(３０、３１)とを備え、
c. ソケット接触部(７)は電力レールストリップに挿入可能なように平行に延びるだけでなく、配列方向(Ｘ)に対して傾いて挿入可能であるように構成されて、ソケット接触部によって電力レールストリップが接する、コンタクト及びバスバーアセンブリ。
【請求項３】
配列方向(Ｘ)に整列される電子機器のハウジング(１０１、…)上にバスシステムを形成し、各々に電子機器のアセンブリ、特に１以上の回路基板(１２１、…)等が挿入されるコンタクト及びバスバーアセンブリであって、
a. 夫々が特に各回路基板(１２１、１２２…)に接触する１以上の第１の接続接触部(Ｋ１)と、１以上のソケット接触部(７、７’)として形成される１以上の第２の端子接触部(Ｋ２、Ｋ”)を有する複数のバスプラグ(２)と、
b. 第２の端子接触部(Ｋ２)に接する１以上の電力レールストリップ(３０、３１)とを備え、
c. ソケット接触部(７、７’)は、第１の接続接触部(Ｋ１)が実際のソケット接触部（７’）とは反対側を向く側、又は第２の接続接触部(Ｋ２)とは反対側を向く側にも直接形成されるように構成されている、コンタクト及びバスバーアセンブリ。
【請求項４】
電力レールストリップ(３０、３１)は、中間の可撓性部分(３０a、３１b)及び該可撓性部分の両側上の非可撓性部分を有する、請求項１に記載のコンタクト及びバスバーアセンブリ。
【請求項５】
少なくとも１つの柔軟な可撓性部分(３０a、３１b)は、ストリップ形状の編体として形成される、請求項１に記載のコンタクト及びバスバーアセンブリ。
【請求項６】
第１の接続接触部(Ｋ１)は、ねじ端子として形成されている、請求項１乃至５の何れかに記載のコンタクト及びバスバーアセンブリ。
【請求項７】
第１の接続接触部(Ｋ１)は、はんだ端子として形成されている、請求項１乃至５の何れかに記載のコンタクト及びバスバーアセンブリ。
【請求項８】
少なくとも１つの柔軟な可撓性部分(３０a、３１b)は、スラットに似た多層の金属シートストリップとして形成されている、請求項１又は５に記載のコンタクト及びバスバーアセンブリ。
【請求項９】
少なくとも１つの柔軟な可撓性部分(３０a、３１b)は、導電性の金属、特に銅アロイから構成される、請求項１又は５に記載のコンタクト及びバスバーアセンブリ。
【請求項１０】
電力レールストリップ(３０、３１)の全体は、可撓性及び/又は連続した可撓性部分として構成される、請求項１乃至９の何れかに記載のコンタクト及びバスバーアセンブリ。
【請求項１１】
電力レールストリップ(３０、３１)は少なくとも部分的に、１つまたは複数の部分にてカバー（３２ａ、３２ｂ）を備えている、請求項１乃至１０の何れかに記載のコンタクト及びバスバーアセンブリ。
【請求項１２】
各カバー（３２ａ、３２ｂ）は、対応するバスプラグ(２)上にロックされる、請求項１１に記載のコンタクト及びバスバーアセンブリ。
【請求項１３】
電力レールストリップ(３０、３１)はカバー(３２)にロックされる、請求項１１又は１２に記載のコンタクト及びバスバーアセンブリ。
【請求項１４】
各バスバー(３０、３１)の非可撓性部分は隣接するカバー(３２a、３２b)に固定され、バスプラグ(２)を互いに接続する、請求項１１乃至１３の何れかに記載のコンタクト及びバスバーアセンブリ。
【請求項１５】
１以上のソケット接触部(７)は、夫々互いに離間した対向するばね脚部を有し、ばね脚部の間には一種のスロット付き接触領域(８)が夫々形成され、スロット付き接触領域は配列方向Ｘに沿って整列されている、請求項１乃至１４の何れかに記載のコンタクト及びバスバーアセンブリ。
【請求項１６】
各電力レールストリップ(３０、３１)は剛体に構成されて、可撓性に構成された部分を有さない、請求項２乃至１２の何れかに記載のコンタクト及びバスバーアセンブリ。
【請求項１７】
対向するばね脚部は、配列方向Ｘに複数の接触舌部(71a、b、c、d、e、f及び72a、b、c、d、e、f)に分割されており、接触舌部は夫々配列方向Ｘにおいてノッチ(７３)によって互いに分離されている、請求項１乃至１２の何れかに記載のコンタクト及びバスバーアセンブリ。
【請求項１８】
接触舌部(71a、b、c、d、e、f及び72a、b、c、d、e、f)は、互いに対向する側の断面が、丸形及び/又は凸状に形成されている、請求項１７に記載のコンタクト及びバスバーアセンブリ。
【請求項１９】
接触されるべき夫々の回路基板(１２１、１２２、１２３、１２４)の対応する開口、例えば通過孔(１２５)に形状嵌合するように係合する突起(７５)が１以上のソケット接触部に付与されて、ツイストロックを形成する、請求項１乃至１８の何れかに記載のコンタクト及びバスバーアセンブリ。
【請求項２０】
夫々配列方向Ｘに互いに直接に配列され、または配列方向Ｘに互いに間接的に隣接して配列されることができる複数の電子機器のハウジング(１０１、１０２…)からなる電子機器のハウジングアセンブリ(１００)であって、
電子機器のハウジングはラックハウジングとして形成され、全体的または部分的に開いた接続側部を有し、請求項１乃至１９の何れかに記載のコンタクト及びバスバーアセンブリの接続側部上に付与されて、各電子機器のハウジングは回路基板を備えている、電子機器のハウジングアセンブリ(１００)。
【請求項２１】
電力レールストリップ(３０、３１)は全体的に導電性の金属、特に銅アロイから構成される、請求項２０に記載の電子機器のハウジングアセンブリ。
【請求項２２】
電子機器のハウジング(１０１、１０２…)及びバスプラグは、特に公差故に配列方向に直交して互いに離れている、請求項２１に記載の電子機器のハウジングアセンブリ(１００)。
【発明の詳細な説明】
【技術分野】
【０００１】
本発明は、請求項１の前提部分に記載の結合されたコンタクト及びバスバーアセンブリ、及び請求項２の前提部分に記載の結合されたコンタクト及びバスバーアセンブリに関する。
【背景技術】
【０００２】
一般的なコンタクト及びバスバーアセンブリは、大きく異なる実施形態において、それ自体先行技術から知られているが、一般的に、より費用効果的にされるべきである比較的複雑な構造を有する。
ドイツ特許公開公報102017116342号及びドイツ実用新案公開公報202013103444号、及び米国公開公報2012/0264317号が従来技術として引用される。
【発明の概要】
【課題を解決するための手段】
【０００３】
このような背景に対して、本発明の目的は、構成面から比較的簡単に構成され、従って費用効果が高いがそれにもかかわらず機能的に信頼性があるコンタクト及びバスバーアセンブリを提供することである。
【０００４】
請求項１に従って、配列方向に互いに隣接して配置される電子機器のハウジング上にバスシステムを形成するためのコンタクト及びバスバーアセンブリが提供され、各々に電子機器のアセンブリ、特に１以上の回路基板等が挿入されるコンタクト及びバスバーアセンブリは、少なくとも以下の特徴を有し、
-夫々が特に各回路基板に接触する１以上の第１の接続接触部と、１以上のソケット接触部として形成される１以上の第２の接続接触部を有する複数のバスプラグと、
-各々が少なくとも１つの柔軟な可撓性部分を有し、及び/又は連続して柔軟な撓み可能に構成された１以上の電力レールストリップを備える。
【０００５】
本発明に従って、単純に構成されコスト効率が高く、それにもかかわらず、エネルギー及び/又はデータバスを中継するタスクに非常によく適合しており、この目的に適しているバスバーアセンブリを提供することが可能である。
【０００６】
電力レールストリップの部分的又は連続した可撓性構成故に、例えば電子機器のハウジングの取付けベースへの配置に起因する公差から、また使用される構成要素のさらなる公差からも生じる構造内の公差は、簡単な方法で補償することができる。この場合、特に、電力レールストリップ全体が可撓性として構成されているか、または連続した可撓性部分を形成していることも考えられる。
【０００７】
発明の目的は、請求項２の特徴によっても達成される。従って、配列方向Ｘに配置される電子機器のハウジング上にバスシステムを形成するためのコンタクト及びバスバーアセンブリが提供され、各々に電子機器のアセンブリ、特に１以上の回路基板等が挿入されるコンタクト及びバスバーアセンブリは、少なくとも以下の特徴を有し、
-夫々が特に各回路基板に接触する１以上の第１の接続接触部と、１以上のソケット接触部として形成される１以上の第２の接続接触部を有する複数のバスプラグと、
-１以上の電力レールストリップとを備え、
-ソケット接触部は電力レールストリップに挿入可能なように平行に延びるだけでなく、配列方向に対して傾いて挿入可能であるように具体化されて、ソケット接触部によって電力レールストリップが接する。
【０００８】
この変形例に従って、斜めに接触することができるのは、各電力レールストリップではなく、各ソケット接触部である。この目的から、配列方向に対して斜めに整列された電力レールと良好に且つ確実に接触することができるように撓むことができる接触部を有する。ソケット接触部はまた、可撓性として構成することができ、及び/又は、例えば可撓性の導電性ストリップによって導電接続を有する、配列方向に互いに関節運動する２つの部分を有する。これらの部分は、電力レールの整列に応じて多少傾く。単純に構成されて、コスト効果が高く、それにもかかわらず、エネルギー及び/又はデータバスを中継するタスクに非常に適しており、この目的に適している、バスバーアセンブリもこのようにして夫々提供される。これは配列方向に非可撓性の連続したソケット接触部を使用する従来技術によれば不可能であった。なぜなら、これらは配列方向に平行に整列したバスバーにしか接触できないからである。
【０００９】
電力レールストリップは夫々剛性として構成され、可撓性に構成された部分（例えば多層又は編体）を有さず、むしろその材料特性の範囲内でのみ可撓性であることが考えられる。
【００１０】
夫々互いに離間した対向するばね脚部を有し、ばね脚部の間には一種のスロット付き接触領域が夫々形成され、スロット付き接触領域は配列方向Ｘに沿って整列された１以上のソケット接触部が付与されることは更に有利である。更に、対向するばね脚部は配列方向Ｘに複数の接触舌部に分割されており、接触舌部は夫々配列方向Ｘにおいてギャップ又はノッチによって互いに分離されていることが付与される。準可撓性の変形可能なソケット接触部が形成され、これはまた、配列方向Ｘに対いて斜めに（例えば、０°より大きく２０°より小さいの角度で）整列された電力レールストリップの確実な導電接触に非常に適している。
【００１１】
１つの改良例に従って、接触舌部は、互いに対向する側の断面が、丸形及び/又は凸状に形成されることが付与される。この方法にて、配列方向Ｘに対して斜めに（例えば、０°より大きく２０°より小さい角度で）整列された電力レールストリップのさらにより確実な導電接触が可能である。
【００１２】
最後に、接触されるべき夫々の回路基板の対応する開口、例えば通過孔に係合する突起が１以上のソケット接触部に付与されて、該突起はツイストロックの形成のために単純に構成されるのが有利である。しかし、ツイストロックは他の方法で実行され得る。
【００１３】
請求項１と請求項２の両発明の変形例は、夫々配列方向Ｘに互いに直接配列され、または配列方向Ｘに互いに間接的に隣接して配列されることができる複数の電子機器のハウジングからなる電子機器のハウジングアセンブリを提供するのに夫々適しており、電子機器のハウジングはラックハウジングとして形成され、全体的または部分的に開いた接続側部を有し、１以上の先行する請求項で特許請求されたように、電子機器のハウジングは少なくとも１つのコンタクト及びバスバーアセンブリの接続側部上に付与されて、各電子機器のハウジングは回路基板を備えており、特にコンタクト及びバスバーアセンブリの電子機器のハウジング及びバスプラグは特に公差故に配列方向に直交して互いに離れている。
【００１４】
以下の主題事項が更なる発明に従って付与される。コンタクト及びバスバーアセンブリは従って、配列方向に整列された電子機器のハウジング上にバスシステムを形成すべく付与されて、その各々に電子機器のアセンブリ、特に１以上の回路基板が挿入されて、少なくとも以下の特徴を有する。特に夫々の回路基板に接触するための少なくとも１つ以上の第１の接続接触部を有し、１つ以上のプラグ接触部として形成される１つ以上の第２の接続接触部を有する１つ以上のバスプラグと、第２の接続接触部に接する１以上の電力レールストリップを備え、ソケット接触部は、第１の接続接触部が実際のソケット接触部（またはチューリップ接触部）とは反対側を向く側または第２の接続接触部とは反対側を向く側にも直接形成されるように構成されている。
【００１５】
第１と第２の接続接触部の間の更なる接触領域は省略されるのが好ましく、より簡素な構造を確実にする。この目的からソケット接触部は有利なことに一体に形成される。
【００１６】
好ましい変形例に従って、１以上の第１の接続接触部がソケット接触部上の夫々のねじ端子として形成されている場合、及び/又は１以上の第１の接続接触部が夫々はんだ端子として形成されて、回路基板との直接の接触を可能にし、又は各回路基板の夫々の導電領域との直接の接触を可能にすれば、特に有利に実行され得る。
【００１７】
本発明はまた、配列方向Ｘに互いに直接配列され、または配列方向Ｘに互いに間接的に隣接して配列されることができる複数の電子機器のハウジングからなる電子機器のハウジングアセンブリを提供し、電子機器のハウジングはラックハウジングとして形成され、全体的又は部分的に開いた接続側部を有し、１つの接続側部に１以上の先行する請求項に記載の少なくとも１つのコンタクト及びバスバーアセンブリ及び各場合(請求項２１)及び請求項２１を参照する従属請求項２２以下の回路基板を備える。
本発明の更なる有利な実施形態が他の従属請求項から推察される。
【図面の簡単な説明】
【００１８】
本発明は、例示的な実施形態に基づいて図面を参照して以下でより詳細に説明され、本発明のさらなる利点が明らかになるであろう。特許請求の範囲の意味における本発明は、以下の例示的な実施形態に限定されず、むしろ本発明は他の方法でも実施可能であることが強調される。従って別の構成で、または図示の実施形態と同等の方法で実施することができる。
【図１】本発明に従った、コンタクト及びバスバーアセンブリを有する電子機器のハウジングアセンブリの第１の斜視図を示す。
【図２】図１のコンタクト及びバスバーアセンブリを示し、ハウジングカバーが無い。
【図３】図１及び図２のコンタクト及びバスバーアセンブリの一部の斜視図である。
【図４】図３からバスバーアセンブリの一部が打ち抜かれた図を示す
【図５】バスバーアセンブリを示す。
【図６ａ】図１から図５までのタイプのコンタクト及びバスバーアセンブリの分解図である。
【図６ｂ】図１から図５までのタイプのコンタクト及びバスバーアセンブリの分解図である。
【図７】本発明に従ったコンタクト及びバスバーアセンブリを有する図１の電子機器のハウジングアセンブリの更なる斜視図である。
【図８】図７の電子機器のハウジングアセンブリの平面図である。
【図９】本発明による電子機器のハウジングアセンブリの概略的に示された変形例の上面図を示し、図８とは異なるように構成されたコンタクト及びバスバーアセンブリを有する。
【図１０ａ】特に図９の変形例のために構成されたバスプラグの斜視図である。
【図１０ｂ】図１０aのバスプラグの側面図である。
【図１０ｃ】図１０bの直線Ａ−Ａを通って延び、図１０aの図面の平面に垂直な平面を通る断面の一部を示す。
【図１０ｄ】図１０bの詳細部分Ｂを拡大して示す。
【図１１ａ】点線で示す回路基板上に配置される図１０のバスプラグの変形例を示す。
【図１１ｂ】点線で示す回路基板上に配置される図１０のバスプラグの変形例を示す。
【図１１ｃ】図１１aの要素を分解して示す。
【図１１ｄ】図１１cの詳細部分Ｘを拡大して示す。
【図１１ｅ】図１１cの変形例用に構成されたバスプラグの斜視図である。
【発明を実施するための形態】
【００１９】
図１は、電子機器のハウジングアセンブリ１００を示す。電子機器のハウジングアセンブリ１００は、複数の電子機器のハウジング１０１、１０２…を有し、これらは互いに配列方向Ｘに直接隣接して配置されてもよく、あるいは少なくとも間接的に配列方向Ｘに隣接して配置されてもよい。ここには、互いに隣接して配置された４つの電子機器のハウジング１０１、１０２、１０３、１０４が設けられている。
【００２０】
電子機器のハウジング１０１、１０２、１０３、１０４は、ラックハウジングとして、またはここに示されるように表面実装ハウジングとして、ここではネジ止めハウジングとして構成することができ、それらは例えばネジを使用して、ベース（ここには示されていない）の固定手段１０５に固定可能である。
電子機器のハウジング１０１、１０２、１０３、１０４は夫々、主ハウジング１０６と、ここでは主ハウジング１０６の狭い開口側を覆うカバー１０７とを有する（図２も参照）。この場合、カバー１０７自体が一種の窓１０８または周辺開口部を有する。
【００２１】
少なくとも１つの回路基板１２１、１２２、１２３、１２４が各電子機器のハウジング１０１、１０２…に挿入される。これらの回路基板１２１、１２２、１２３、１２４は、ここでは配列方向Ｘに対して垂直に及び/又はＹ−Ｚ平面に対して平行に整列されているので、それらは電子機器のハウジング１０１、１０２に対して本質的に平行に形成されている。軸Ｘ、Ｙ及びＺは、デカルト座標系の３つの軸を形成する。
【００２２】
コンタクト及びバスバーアセンブリ１が回路基板１２１、１２２上に形成されて、互いに隣接して配置された電子機器のハウジング１０１、１０２…上に１つ又は複数のバスシステムを形成する。この点に関して、及びコンタクト及びバスバーアセンブリの構造に関して、特に図３以降を参照する。
コンタクト及びバスバーアセンブリ１は先ず、各電子機器のハウジング１０１、…上にバスプラグ２を有する（図３参照）。
【００２３】
コンタクト及びバスバーアセンブリ１はさらに、隣接する電子機器のハウジング１０１のバスプラグ２を互いに導電的に接続する１つ以上のバスバーアセンブリ３を有する。
これは以降により詳細に説明される。
ここで少なくとも１つのバスプラグ２が各回路基板１２１、１２２…に位置する。示された実施形態において、正確に１つのバスプラグ２が電子機器のハウジング１０１…ごとに設けられている。このバスプラグは、夫々の電子機器のハウジング１０１内の夫々の回路基板１２１から１２４に接触する。
【００２４】
１以上のバスプラグ２は同一又は略同一に形成される。そのようなバスプラグ２の好ましい構造が以降により詳細に記載される。このように、構造は、接触部Ｋ１の異なる構成を除いて、例示された例示的な実施形態における４つのバスプラグ２の全てに移行する(transfer)ことができる。全ての接触部Ｋ１も同様に構成することができる（例えば、ネジ端子またははんだ端子として）。
【００２５】
バスプラグ２は、第１の接続接触部Ｋ１を有する第１の接続面Ａと第２の接続接触部Ｋ２を有する第２の接続面Ｂとを有するハウジング４を有する（図３乃至図６参照）。米国公開公報2012/0264317号に関し、中間アダプタプラグ、従って夫々の回路基板とバスプラグとの間のさらなる接触領域は、このように省略される。
【００２６】
第１の接続面Ａ上の第１の接続接触部Ｋ１は、ここでは好ましくは第１のバスプラグ上にねじ６及びナット６を有するねじ端子５ａとして構成されているが、これは必ずしも必要ではない。ねじ端子５ａ（通過開口を有する一種のタブ）は回路基板に接触する。回路基板はねじによって貫通される。このようにして、このねじ端子５ａを介して、第１の電子機器のハウジング１０１の回路基板１２１からここでは１つのみが有利であるバスプラグ２を介して、コンタクト及びバスバーアセンブリ１に直接エネルギーが供給され、エネルギーは配列された電子機器のハウジング１０２、１０３、１０４の配列された回路基板１２２、１２３…に供給される。
【００２７】
従って、ソケット接触部は、第１の接続接触部Ｋ１が実際のソケット接触部とは反対側を向く面又は第２の接続接触部Ｋ２とは反対側を向く面にも直接形成されるように構成されている。
第１の接続面Ａ上の残りのバスプラグ２の第１の接続接触部Ｋ１は、ここでは、夫々の回路基板１２２…に導電的に接触するはんだピン５ｂとして構成されるのが好ましいが、これは必ずしも必要ではない。はんだピン５ｂは、配列方向Ｘと平行にまたは配列方向Ｘに延びることが好ましい。はんだピンは、ソケット接触部の端部として直接形成することが好ましい。
これらのはんだ面等は、第１の接続接触部Ｋ１を形成する。
【００２８】
従って、ソケット接触部も、第１の接続接触部Ｋ１が実際のソケット接触部またはチューリップ接触部とは反対側の面、又は第２の接続接触部Ｋ２とは反対側の面に直接形成されるように構成されている。
【００２９】
第１の接続接触部Ｋ１が実際の回路基板１２１、…と接触する接触領域は、電子機器のハウジング１０１の内側にあってもよい。ここでは一体となっているバスプラグ２のハウジング４の反対側の第２の接続接触部Ｋ２は、ハウジング４から突出する１つ又は複数のチューリップ接触部として形成されたソケット接触部７として形成されるのが好ましい。この場合、これらのソケット接触部７は夫々互いに離間しかつ互いに対向するスプリング脚部を有し、各スプリング脚部の間には一種のスロット付き接触領域８が形成されている。各スロット付き接触領域８は配列方向Ｘに平行に整列されているのが好ましい。
【００３０】
第２の接続接触部Ｋ２は、電子機器のハウジング１０１、１０２、…を越えてハウジングの接続面Ａから外側に突出することが好ましい。ここで第１及び第２の接続接触部Ｋ１及びＫ２又は５ａ又は５ｂ及び７は夫々、例えば１つまたは複数のバスバー片などを介して互いに導電的に接続することができる（ここでは見えない）。
各々が複数の第１の接続接触部Ｋ１と２つの第２の接続接触部Ｋ２またはソケット接触部７とを夫々有する１つのバスプラグ２が、ここでは電子機器のハウジング１０１、１０２…ごとに設けられている。
【００３１】
この場合、使用される要素のこれら及び以下の数値例は例であると考えられるべきであり、そしてまた有利であるが一方、必須ではない。以下により詳細に記載されるもの以外の他の数の要素/構成要素もまた提供され得る。接触部は、バスプラグ２ごとに２つの電位を接続または分配することができるように更に分配されることが好ましい。
バスプラグ２のソケット接触部７は、配列方向Ｘに平行な２列Ｒ１、Ｒ２に配置されており、好ましくはスロット付き接触領域８も夫々配列方向Ｘに平行に整列している。
【００３２】
この場合、第１の接続接触部Ｋ１は、夫々の回路基板１２１をエネルギーバス及び/又はデータバスと接触させるために使用され、第２の接続接触部Ｋ２はバスバーアセンブリ３に接触して、エネルギー及び/又はデータバスの夫々の電位を回路基板１２１から回路基板１２２に中継し、及び/又は互いに隣接して配列された電子機器のハウジング１０１の１つから他方のハウジング１０１に中継するために使用される。従って、バスバーアセンブリ３は必要であり、バスバーアセンブリ３を用いて電位の中継の仕事は単純な構成手段を用いて実行される。
好ましいバスバーアセンブリ３は、１つまたは複数の電力レールストリップ３０、３１及びカバー３２から形成される（図５及び図６を参照）。しかし、電力レールは、全てのバスプラグにわたって連続的に形成することができ、またはこれらのバスプラグ２のうちの個々のものを接続することしかできない。電力レールは、これらのバスプラグ２のうちの２つ以上を導電的に接続するために、接触ブレードのようにバスプラグ２又はそのソケット接触部７に挿入される。
【００３３】
カバー３２は、留め手段３３を備えていることが好ましく、該留め手段を使用して、カバー３２は、バスプラグ２のハウジング４の対応する反対側の留め手段９上にロック可能である。
電力レールストリップ３０、３１…は、導電性の良い材料、特に銅アロイのような導電性の良い金属から構成される。
電力レールストリップ３０、３１…は更に、少なくとも部分的に、少なくとも電力レールストリップ１０の主延在方向に対して垂直に可逆的に撓み変形可能である。
【００３４】
要求される可撓性の構成は、夫々の電力レールストリップ３０、３１が少なくとも部分的に、ここでは部分３０ａ、３１ａにおいて、金属ワイヤで作られた一種の単層または多層の編体から形成されることで達成される。
可撓性の構成はあるいはまた、例えば、少なくとも部分３０ａ、３１ａにおいて、スラットのように平行に積層された複数の薄板金属ストリップから形成されている電力レールストリップ３０、３１によって、別の方法で達成することもできる。
【００３５】
銅アロイは、電力レールストリップ３０、３１を製造する金属として用いられるのが好ましい。
非可撓性の部分３０ｂ、３０ｃ又は３１ｂ、３１ｃは夫々、これら可撓性部分３０ａ、３１ａの夫々に隣接することが好ましい。
この方法にて、各場合にて、配列方向に対して垂直方向に少なくとも部分的に可撓性である電力レールストリップ３０または３１が形成される。
【００３６】
非可撓性の部分３０ｂ、３０ｃ又は３１ｂ、３１ｃは、各対応するカバー３２の内側に固定されるのが好ましい。各場合において、各非可撓性の部分３０ｂ、３０ｃ又は３１ｂ、３１ｃは、２つの隣接するバスプラグ２間を延びることが提供され、カバー３２はバスプラグ２の領域にのみ付与される。
各場合において、電力レールストリップは、カバー３２上の非可撓性の部分３０ｂ、３０ｃ又は３１ｂ、３１ｃに固定されるのが好ましく、カバー３２上のピン３４は非可撓性の部分３０ｂ、３０ｃ、３１ｂ、３１ｃの受入れ孔３５に係合する（図６）。
【００３７】
電力レールストリップ３０、３１は、複数のカバー３２またはバスプラグ２、好ましくは２つに亘って延在し、従って少なくとも２つ以上のバスプラグ２を互いに接続する（図５及び図６）。ソケット接触部７の領域にて、電力レールストリップ３０、３１は、夫々の回路基板１２２、１２２、…への潜在的な中継のために、または最も近いバスバー部分３０乃至３０'への潜在的な中継のためなどにも使用され得る。隣接する電子機器のハウジング１０１、…のソケット接触部７が、配列方向に隣接する各２つの電力レールストリップ３０、３０'または３１、３１'を互いに導電的に接続することが必要かつ有利である（図６参照）。
【００３８】
第１の電子機器のハウジング１０１内に、本明細書では給電モジュールとも呼ぶことができる２つの電力レールストリップ３０、３１をソケット接触部７全体にわたって連続的に形成することができ、電力レールストリップ３０、３１は、バスプラグ２を有する隣接する電子機器のハウジング１０２まで延びることができ、その中の２つのソケット接触部７と接触することができる。
しかし、代替の変形例に従って、電力レールストリップ３０、３１はその全長に亘って可撓性として構成され得る。
【００３９】
１つまたは複数の電力レールストリップ３０、３１が、配列方向Ｘに対して少なくとも垂直に（Ｙ方向に）断面的または連続的に可撓性を有する構成ゆえに、例えば、電子機器のハウジング１０１、…の取り付けベース上での配置から生じる構造内の公差、及び使用される構成要素のさらなる公差から生じる構造内の公差は、簡単な方法で補償することができることは特に有利である。好ましくは、特にワイヤ編体が可撓領域に使用されると、許容誤差は、配列方向Ｘ及び/又はＺ方向（ハウジングの高さ＝垂直／ハウジングの幅＝平行）でも補償することができる。
【００４０】
互いに配列されたバスプラグ２間に、可撓性が制限された絶縁体で電力レールストリップを設けることも考えられる。
バスプラグ２及び/又はカバー３２のハウジングは、１つまたは複数の部品に形成することができ、特に複数のハウジング半体３２ａ、ｂから組み立てることができる。彼らはおそらくステップなどで互いに係合することができる。ハウジング半体３２ａ、３２ｂは互いにロック可能であり得る。図６はそのような変形例を示している。
【００４１】
ピン３４はまた、ハウジング半体３２ａ、３２ｂを開口等にセンタリングする、またはそれらを追加的に接続する目的で使用することもできる。
より高い電流及び/又はより高いレベルのエネルギーもまた、１つまたは複数の電力レールストリップ３０、３１を使用して容易に伝送することができる。
このようにして、電子機器のハウジング１０１、…のうちの２つ以上にわたって、そのバスプラグ２を直接導電的に接続することが容易に可能である。この目的から、予め取り付けられた電力レールストリップ３０、３１を有するカバー３２がバスプラグ上に差し込まれ、その中に差し込まれる。この場合に生じる公差の変動は、カバー３２間の領域内の可撓性部分３０ａ、３１ａによって補償される（図７及び図８参照）。
【００４２】
図９は、電子機器のハウジングアセンブリ１００’のさらなる変形例の概略図を示す。この電子機器のハウジングアセンブリ１００’はまた、複数の電子機器のハウジング１０１’、１０２’、…を有し、ハウジング１０１’、１０２’、…は互いに直接配列することができるか、または配列方向Ｘに互いに少なくとも間接的に隣接して配列することができる。ここでは、例として、互いに隣接して配列された４つの電子機器のハウジング１０１'、１０２'、１０３'、１０４'が設けられている。ハウジング１０１'、１０２'、１０３'、１０４'は配列方向Ｘに互いに配列されている。（少なくとも）配列方向Ｙに対して垂直なＹ方向において、電子機器のハウジングは、公差のために互いに対してわずかにずれている。これは図９に良く示される。
【００４３】
電子機器のハウジングアセンブリ１０１'乃至１０４'は、全体的に本質的に図１乃至図８の電子機器のハウジングアセンブリと同様に構成することができる。従って、図１から図８までの上記の説明を参照する。これは、以下で説明する違いを除いて、同様に使用可能であるか、または図９及び図１０及び図１１にも適用される。
【００４４】
コンタクト及びバスバーアセンブリ１は、ここでもまた、隣接する電子機器のハウジング１０１’のバスプラグ２’を互いに導電的に接続する１つ以上のバスバーアセンブリ３’を有する。コンタクト及びバスバーアセンブリの変形例の実施形態にて、電力レールストリップ３００、３０１は剛体に構成される。これは電力レールストリップが特に可撓性に構成された部分を持っていないことを意味する。電力レールストリップ３００、３０１はむしろ、良好な導電性を有する材料、特に金属または金属合金から所定の長さに切断された金属レールストリップを有する。それらは、プラスチックまたは他の絶縁材料を使用して部分的にコーティングすることができ、及び/又はカバーを備えることができる（例えば、図１乃至図８のように認識できない）。
【００４５】
電力レールストリップ３００、３０１によってバスプラグ２を種々の配列方向、特に隣接する電子機器のハウジング１０１’乃至１０４’の配列方向に接続すべく、配列方向Ｘに垂直なオフセットの公差補償は、電力レールストリップ３００、３０１’を介して行われず、又は電力レールストリップ３００、３０１’のみで実行されるのではなく、むしろバスプラグ２’を介して行われることが規定される。むしろ、２つの隣接する電力レールストリップ３００、３０１が夫々ソケット接触部７'と接触するように差し込み可能であるバスプラグ２'のソケット接触部７'は、電力レールストリップ３０'、３１'もまた、非線形方向に及び/又は配列方向に対して傾斜して差し込むことができるように構成されていることが規定される。
【００４６】
これは種々の方法で実行される。図９、図１０及び図１１に示された実施形態に従って、ソケット接触部７’（図１０及び図１１参照）は夫々互いに離間した対向するばね脚部を有し、ばね脚部の間には一種のスロット付き接触領域８’が夫々形成されている。夫々のスロット付き接触領域８’は、配列方向Ｘに平行に整列しているのが好ましい。これらのソケット接触部は一種の多重チューリップを有する。
【００４７】
更に、ソケット接触部７’の対向するばね脚部は、更に配列方向Ｘに複数、ここでは例として６つの接触舌部７１ａ、ｂ、ｃ、ｄ、ｅ、ｆ及び７２ａ、ｂ、ｃ、ｄ、ｅ、ｆに分割されており、接触舌部は夫々配列方向Ｘにおいてノッチ７３によって互いに分離されている（図１０ａ参照）。この点に関して、準可撓性の変形可能なソケット接触部７が得られる。
接触舌部７１ａ、ｂ、ｃ、ｄ、ｅ、ｆ及び７２ａ、ｂ、ｃ、ｄ、ｅ、ｆは互いに対向しているのが好ましい。図示した以外の数の接触舌部７１ａ、ｂ、ｃ、ｄ、ｅ、ｆ及び７２ａ、ｂ、ｃ、ｄ、ｅ、ｆへの分割も可能である。接触舌部７１ａ、ｂ、ｃ、ｄ、ｅ、ｆ及び７２ａ、ｂ、ｃ、ｄ、ｅ、ｆの夫々２つは互いに揃えられて(completed)、一種の接触チューリップを形成することができる。スロット付き接触領域８’は、２列の接触舌部７１ａ、ｂ、ｃ、ｄ、ｅ、ｆ及び７２ａ、ｂ、ｃ、ｄ、ｅ、ｆの間に形成される。
【００４８】
接触舌部(ここでは、７１ａ、ｂ、ｃ及び７２ａ、ｂ、ｃ)の一方の部分(例えば、各半分)は、隣接するソケット接触部７'から夫々の第１の電力レールストリップ３００、３０１の端部に接触するために使用され、接触舌部の他方の部分（ここでは７１ｄ、ｅ、ｆ及び７２ｄ、ｅ、ｆ）は、隣接する電力レールストリップ３００、３０１を反対側で隣接するさらなるソケット接触部７'と接触させるために使用されることが好ましい。電子機器のハウジングアセンブリ１００’の第１又は最後の電子機器のハウジングにて、各ソケット接触部７の全ての接触舌部７１ａ、ｂ、ｃ、ｄ、ｅ、ｆ及び７２ａ、ｂ、ｃ、ｄ、ｅ、ｆは、電力レールストリップ３０、３１'の各端部によって全体として接触することができる。例えば、より多くの接触部を介してより高い電力を供給することができる。
【００４９】
公差の故に、電力レールストリップ３００、３０１が配列方向に対して斜めに立たなければならなくとも、隣接する電子機器のハウジングの隣接するバスプラグ２と接続するために、この構成は各接触舌部７１ａ、ｂ、ｃ、ｄ、ｅ、ｆ及び７２ａ、ｂ、ｃ、ｄ、ｅ、ｆが別々に、特に異なる量だけ撓むことが出来るとの利点を提示する。この場合、それにも拘わらず、良好な電気的接触が確実になる。そのような状況は図９に概略が示される。この場合、図９にて例えば図１０ａ）乃至ｄ）及び図１１ａ）乃至ｅ）のようなソケット接触部を有するバスプラグ２を使用することができる。
【００５０】
更に有利なことに、接触舌部７１ａ、ｂ、ｃ、ｄ、ｅ、ｆ及び７２ａ、ｂ、ｃ、ｄ、ｅ、ｆは相互に対向する側（即ち、実際の接触側に向かう）に向かって断面丸形（図１０ｄの半径Ｒ１）に形成され、または接触側に向かって凸状になるように形成されている。この目的から、対応するエンボス加工を接触舌部７１ａ、ｂ、ｃ、ｄ、ｅ、ｆ及び７２ａ、ｂ、ｃ、ｄ、ｅ、ｆに導入することができ、それによって凸状の接触領域７４が夫々の接触側に向かって形成される。
これは図１０ａ）、ｂ）、ｃ)及びｄ)に見られる。この方法で、公差により配列方向に対して斜めに配列された電力レールストリップ３００、３０１の接触は容易になる、何故なら電力レールストリップ３００、３０１は、傾斜位置の結果として、夫々接線方向に、またはいずれにせよ夫々の接触領域７４に最適化されるようになるからである。
【００５１】
１つのオプションに従って、第１の接続面Ａ上の１つまたは複数の第１の接続接触部Ｋ１もまた、ナット付きまたはナットなしでねじ端子５ａとして形成されており、これは図１１ａ）乃至ｅ）に示される。このねじ端子５ａは、ねじ６ａを貫通させることができ、ここで夫々の回路基板-１２１と接触することができる。この場合、突起７５が夫々のソケット接触部７'上にさらに設けられ、それは対応する開口部、例えば接触されるべき回路基板（例えば１２１）の通過孔１２５'内に形状嵌合するように係合する。この方法にて、追加のツイストロックまたは一種の整列補助具が、夫々のソケット接触部７’と夫々の回路基板（例えば、１２１）との間に簡単な方法で実装されており、各ソケット接触部７’は回路基板１２１上のラグ７６によって形状嵌合するように支持されている（また、図１１ａ）乃至ｅ）を参照）。
【符号の説明】
【００５２】
コンタクト及びバスバーアセンブリ          １、１’
バスプラグ                                ２、２’
電力レールアセンブリ                      ３、３’
ハウシング                                ４
ねじ端子                                  ５a
はんだピン                                ５b
ナット                                    ６
ソケット接触部                            ７、７’
接触舌部                                  71a、b、c、d、e、f及び72a、b、c、d、e、f
ノッチ                                    ７３
突起                                      ７５
接触領域                                  ８、８’
反対側の留め手段                          ９
電力レールストリップ                      ３０、３１、３０’、３１’
部分                                      ３０a, b, c;  ３１a, b, c
カバー                                    ３２
留め手段                                  ３３
ピン                                      ３４
受入れ孔                                  ３５
電力レールストリップ                      ３００、３０１
電子機器のハウジングアセンブリ            １００
電子機器のハウジング                      １０１、１０２、１０３、１０４
固定手段                                  １０５
主ハウジング                              １０６
カバー                                    １０７
窓                                        １０８
回路基板                                  １２１、１２２、１２３、１２４
第１の接続側部                            Ａ
第１の接続接触部                          Ｋ１
第２の接続側部                            Ｂ
第２の接続接触部                          Ｋ２
配列方向                                  Ｘ
方向                                      Ｙ、Ｚ
【図１】
2019145502.tif 000003
【図２】
2019145502.tif 000004
【図３】
2019145502.tif 000005
【図４】
2019145502.tif 000006
【図５】
2019145502.tif 000007
【図６ａ】
2019145502.tif 000008
【図６ｂ】
2019145502.tif 000009
【図７】
2019145502.tif 000010
【図８】
2019145502.tif 000011
【図９】
2019145502.tif 000012
【図１０ａ】
2019145502.tif 000013
【図１０ｂ】
2019145502.tif 000014
【図１０ｃ】
2019145502.tif 000015
【図１０ｄ】
2019145502.tif 000016
【図１１ａ】
2019145502.tif 000017
【図１１ｂ】
2019145502.tif 000018
【図１１ｃ】
2019145502.tif 000019
【図１１ｄ】
2019145502.tif 000020
【図１１ｅ】
2019145502.tif 000021
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
配列方向(Ｘ)に整列される電子機器のハウジング(１０１、…)上にバスシステムを形成し、各々に電子機器のアセンブリである１以上の回路基板(１２１、…)が挿入されるコンタクト及びバスバーアセンブリであって、
a. 夫々が各回路基板(１２１、１２２…)に接触する１以上の第１の接続接触部(Ｋ１)と、１以上のソケット接触部(７)として形成される１以上の第２の端子接触部(Ｋ２、Ｋ”)を有する複数のバスプラグ(２)と、
b. 各々が少なくとも１つの柔軟な可撓性部分(３０a、３１b)を有し、又は連続して柔軟な撓み可能に構成された１以上の電力レールストリップ(３０、３１)を備える、コンタクト及びバスバーアセンブリ。
【請求項２】
配列方向(Ｘ)に整列される電子機器のハウジング(１０１、…)上にバスシステムを形成し、各々に電子機器のアセンブリである１以上の回路基板(１２１、…)が挿入されるコンタクト及びバスバーアセンブリであって、
a. 夫々が各回路基板(１２１、１２２…)に接触する１以上の第１の接続接触部(Ｋ１)と、１以上のソケット接触部(７)として形成される１以上の第２の端子接触部(Ｋ２、Ｋ”)を有する複数のバスプラグ(２)と、
b.１以上の電力レールストリップ(３０、３１)とを備え、
c. ソケット接触部(７)は電力レールストリップに挿入可能なように平行に延びるだけでなく、配列方向(Ｘ)に対して傾いて挿入可能であるように構成されて、ソケット接触部によって電力レールストリップが接する、コンタクト及びバスバーアセンブリ。
【請求項３】
配列方向(Ｘ)に整列される電子機器のハウジング(１０１、…)上にバスシステムを形成し、各々に電子機器のアセンブリである１以上の回路基板(１２１、…)が挿入されるコンタクト及びバスバーアセンブリであって、
a. 夫々が各回路基板(１２１、１２２…)に接触する１以上の第１の接続接触部(Ｋ１)と、１以上のソケット接触部(７、７’)として形成される１以上の第２の端子接触部(Ｋ２、Ｋ”)を有する複数のバスプラグ(２)と、
b. 第２の端子接触部(Ｋ２)に接する１以上の電力レールストリップ(３０、３１)とを備え、
c. ソケット接触部(７、７’)は、第１の接続接触部(Ｋ１)が実際のソケット接触部（７’）とは反対側を向く側、又は第２の接続接触部(Ｋ２)とは反対側を向く側にも直接形成されるように構成されている、コンタクト及びバスバーアセンブリ。
【請求項４】
電力レールストリップ(３０、３１)は、中間の可撓性部分(３０a、３１b)及び該可撓性部分の両側上の非可撓性部分を有する、請求項１に記載のコンタクト及びバスバーアセンブリ。
【請求項５】
少なくとも１つの柔軟な可撓性部分(３０a、３１b)は、ストリップ形状の編体として形成される、請求項１に記載のコンタクト及びバスバーアセンブリ。
【請求項６】
第１の接続接触部(Ｋ１)は、ねじ端子として形成されている、請求項１乃至５の何れかに記載のコンタクト及びバスバーアセンブリ。
【請求項７】
第１の接続接触部(Ｋ１)は、はんだ端子として形成されている、請求項１乃至５の何れかに記載のコンタクト及びバスバーアセンブリ。
【請求項８】
少なくとも１つの柔軟な可撓性部分(３０a、３１b)は、スラットに似た多層の金属シートストリップとして形成されている、請求項１又は５に記載のコンタクト及びバスバーアセンブリ。
【請求項９】
少なくとも１つの柔軟な可撓性部分(３０a、３１b)は、導電性の金属である銅アロイから構成される、請求項１又は５に記載のコンタクト及びバスバーアセンブリ。
【請求項１０】
電力レールストリップ(３０、３１)の全体は、可撓性及び/又は連続した可撓性部分として構成される、請求項１乃至９の何れかに記載のコンタクト及びバスバーアセンブリ。
【請求項１１】
電力レールストリップ(３０、３１)は少なくとも部分的に、１つまたは複数の部分にてカバー（３２ａ、３２ｂ）を備えている、請求項１乃至１０の何れかに記載のコンタクト及びバスバーアセンブリ。
【請求項１２】
各カバー（３２ａ、３２ｂ）は、対応するバスプラグ(２)上にロックされる、請求項１１に記載のコンタクト及びバスバーアセンブリ。
【請求項１３】
電力レールストリップ(３０、３１)はカバー(３２)にロックされる、請求項１１又は１２に記載のコンタクト及びバスバーアセンブリ。
【請求項１４】
各バスバー(３０、３１)の非可撓性部分は隣接するカバー(３２a、３２b)に固定され、バスプラグ(２)を互いに接続する、請求項１１乃至１３の何れかに記載のコンタクト及びバスバーアセンブリ。
【請求項１５】
１以上のソケット接触部(７)は、夫々互いに離間した対向するばね脚部を有し、ばね脚部の間には一種のスロット付き接触領域(８)が夫々形成され、スロット付き接触領域は配列方向Ｘに沿って整列されている、請求項１乃至１４の何れかに記載のコンタクト及びバスバーアセンブリ。
【請求項１６】
各電力レールストリップ(３０、３１)は剛体に構成されて、可撓性に構成された部分を有さない、請求項２乃至１２の何れかに記載のコンタクト及びバスバーアセンブリ。
【請求項１７】
対向するばね脚部は、配列方向Ｘに複数の接触舌部(71a、b、c、d、e、f及び72a、b、c、d、e、f)に分割されており、接触舌部は夫々配列方向Ｘにおいてノッチ(７３)によって互いに分離されている、請求項１乃至１２の何れかに記載のコンタクト及びバスバーアセンブリ。
【請求項１８】
接触舌部(71a、b、c、d、e、f及び72a、b、c、d、e、f)は、互いに対向する側の断面が、丸形及び/又は凸状に形成されている、請求項１７に記載のコンタクト及びバスバーアセンブリ。
【請求項１９】
接触されるべき夫々の回路基板(１２１、１２２、１２３、１２４)の対応する開口である通過孔(１２５)に形状嵌合するように係合する突起(７５)が１以上のソケット接触部に付与されて、ツイストロックを形成する、請求項１乃至１８の何れかに記載のコンタクト及びバスバーアセンブリ。
【請求項２０】
夫々配列方向Ｘに互いに直接に配列され、または配列方向Ｘに互いに間接的に隣接して配列されることができる複数の電子機器のハウジング(１０１、１０２…)からなる電子機器のハウジングアセンブリ(１００)であって、
電子機器のハウジングはラックハウジングとして形成され、全体的または部分的に開いた接続側部を有し、請求項１乃至１９の何れかに記載のコンタクト及びバスバーアセンブリの接続側部上に付与されて、各電子機器のハウジングは回路基板を備えている、電子機器のハウジングアセンブリ(１００)。
【請求項２１】
電力レールストリップ(３０、３１)は全体的に導電性の金属である銅アロイから構成される、請求項２０に記載の電子機器のハウジングアセンブリ。
【請求項２２】
電子機器のハウジング(１０１、１０２…)及びバスプラグは、公差故に配列方向に直交して互いに離れている、請求項２１に記載の電子機器のハウジングアセンブリ。
【外国語明細書】
2019145502000001.pdf